(57)【要約】【課題】騒音を効果的に抑制することができる排水ポンプ、及び排水ポンプを含む洗濯機を提供する。【解決手段】排水ポンプは、フィルタ空洞及びインペラ空洞を有するポンプハウジングと、ポンプハウジングに取り付け、フィルタコアを有するフィルタと、フィルタコアとポンプハウジングとの間に定まりフィルタ空洞とインペラ空洞とを連通させる隙間とを備える。【選択図】図５
2017207059.tif 000002
【特許請求の範囲】
【請求項１】
排水ポンプであって、
フィルタ空洞及びインペラ空洞を有するポンプハウジングと、
前記ポンプハウジングに取り付け、フィルタコアを有するフィルタと、
前記フィルタコアと前記ポンプハウジングとの間に定まり、前記フィルタ空洞と前記インペラ空洞とを連通させる隙間と、を備えることを特徴とする排水ポンプ。
【請求項２】
前記ポンプハウジングには、前記フィルタ空洞と前記インペラ空洞との間に環状板が配置され、前記環状板は貫通穴を定め、前記フィルタコアの一端は前記貫通穴内に収容され、前記隙間は、前記フィルタコアと前記環状板との間に定まる、請求項１に記載の排水ポンプ。
【請求項３】
前記フィルタコアは、フィルタハウジング及び曲板を備え、前記フィルタハウジングは、フィルタ穴を定める、前記曲板は、前記フィルタハウジングの外周面を取り囲み、前記隙間は、前記曲板と前記環状板との間に形成される、請求項２に記載の排水ポンプ。
【請求項４】
前記曲板の外周面には、前記環状板の内面に当接する複数の突出ポストが設けられる、請求項３に記載の排水ポンプ。
【請求項５】
前記フィルタコアからバッフルが半径方向に延び、前記バッフル及び前記環状板は互いに対向する、請求項３に記載の排水ポンプ。
【請求項６】
前記環状板は、前記バッフルに向かって延びる環状突起を形成し、前記環状突起は、前記貫通穴を取り囲みかつ前記バッフルに対向する、請求項５に記載の排水ポンプ。
【請求項７】
前記バッフルには、前記環状板に対面するように環状の突出ブロックが配置され、前記環状の突出ブロック、前記バッフル及び前記曲板は一緒に環状溝を定め、前記環状突起は前記環状溝と整列し、前記フィルタ空洞、前記インペラ空洞、前記隙間、及び前記環状溝は互いに連通する、請求項６に記載の排水ポンプ。
【請求項８】
前記曲板は、前記環状板の前記内面に当接し、前記曲板の前記内面は、前記隙間を形成する複数の圧力解放溝を定め、前記圧力解放溝は、前記フィルタ空洞を前記インペラ空洞に連通させる、請求項３に記載の排水ポンプ。
【請求項９】
前記フィルタコアは、前記フィルタハウジングに接続されたフィルタメッシュをさらに備え、前記フィルタメッシュは、前記フィルタ穴のうち前記インペラ空洞から離れた一端に配置される、請求項３に記載の排水ポンプ。
【請求項１０】
排水ポンプを備える家庭用電気製品であって、前記排水ポンプは、
フィルタ空洞及びインペラ空洞を有するポンプハウジングと、
前記ポンプハウジングに取り付け、フィルタコアを有するフィルタと、
前記フィルタコアと前記ポンプハウジングとの間に定まり、前記フィルタ空洞と前記インペラ空洞とを連通させる隙間と、を備えることを特徴とする家庭用電気製品。
【発明の詳細な説明】
【技術分野】
【０００１】
[0002]  本開示は、家庭用電気製品に、特に排水ポンプ、及び排水ポンプを含む家庭用電気製品に関する。
【背景技術】
【０００２】
[0003]  排水ポンプは、洗濯機及び皿洗い機で使用される主要な構成要素である。排水ポンプの作動は３つの稼働状態、即ち始動状態、水の排水状態、混合した空気及び水の排水状態がある。混合した空気及び水の排水状態では、ほとんどの水が排水されているので小量の残留水だけが残り、それは空気と混合した混合流体を形成する。その結果、排水ポンプは大きな騒音を発生する。
【発明の概要】
【発明が解決しようとする課題】
【０００３】
[0004]  従って、本開示は、騒音を効果的に抑制することができる排水ポンプ、及び排水ポンプを含む洗濯機を提供する。
【課題を解決するための手段】
【０００４】
[0005]  本開示は排水ポンプを提供し、排水ポンプは、フィルタ空洞及びインペラ空洞を有するポンプハウジングと、ポンプハウジングに取り付け、フィルタコアを有するフィルタと、フィルタコアとポンプハウジングとの間に定まり、フィルタ空洞とインペラ空洞とを連通させる隙間とを備える。
【０００５】
[0006]  ポンプハウジングには、フィルタ空洞とインペラ空洞との間に環状板が配置され、環状板は貫通穴を定め、フィルタコアの一端は貫通穴内に収容され、隙間は、フィルタコアと環状板との間に定まることが好ましい。
【０００６】
[0007]  フィルタコアは、フィルタハウジング及び曲板を備え、フィルタハウジングは、フィルタ穴を定め、曲板は、フィルタハウジングの外周面を取り囲み、隙間は、曲板と環状板との間に形成されることが好ましい。
【０００７】
[0008]  曲板の外周面には、環状板の内面に当接する複数の突出ポストが設けられることが好ましい。
【０００８】
[0009]  フィルタコアからバッフルが半径方向に延び、バッフル及び環状板は互いに対向することが好ましい。
【０００９】
[0010]  環状板は、バッフルに向かって延びる環状突起を形成し、環状突起は、貫通穴を取り囲みかつバッフルに対向することが好ましい。
【００１０】
[0011]  バッフルには、環状板に対面するように環状の突出ブロックが配置され、環状の突出ブロック、バッフル及び曲板は一緒に環状溝を定め、環状突起は環状溝と整列し、フィルタ空洞、インペラ空洞、隙間、及び環状溝は互いに連通することが好ましい。
【００１１】
[0012]  曲板は、環状板の内面に当接し、曲板の内面は、隙間を形成する複数の圧力解放溝を定め、圧力解放溝は、フィルタ空洞をインペラ空洞に連通させることが好ましい。
【００１２】
[0013]  圧力解放溝は、環状板の内面に沿って円周方向に配置された円弧形の溝、あり継ぎ形の溝、又は鋸歯状の溝であることが好ましい。
【００１３】
[0014]  フィルタコアは、フィルタハウジングに接続されたフィルタメッシュをさらに備え、フィルタメッシュは、フィルタ穴のうちインペラ空洞から離れた一端に配置されることが好ましい。
【００１４】
[0015]  フィルタは、シール部材及び複数の接続部材をさらに備え、シール部材は、接続部材によってフィルタコアに接続され、ポンプハウジングは、フィルタ空洞のうちインペラ空洞から離れた一端に配置されたシール空洞をさらに備え、シール部材は、シール空洞内に収納されかつポンプハウジングに接続されることが好ましい。
【００１５】
[0016]  シール部材は、ねじ噛み合いによってポンプハウジングに接続されることが好ましい。
【００１６】
[0017]  排水ポンプは、取付けハウジング及びモータを含むモータ組立品をさらに備え、モータは、取付けハウジングに取り付け、取付けハウジングは、ポンプハウジングに固定して接続され、モータの一端はインペラに接続され、インペラは、インペラ空洞に収納されることが好ましい
【００１７】
[0018]  モータは、単相ブラシレス直流モータ、三相ブラシレス直流モータ、又は単相同期モータであることが好ましい。
【００１８】
[0019]  ポンプハウジングの外周面から入口管及び出口管が突出し、入口管は、フィルタ空洞に連通した吸込路を定め、出口管は、インペラ空洞に連通した出口通路を定めることが好ましい。
【００１９】
[0020]  本開示はまた、上述した排出ポンプを含む家庭用電気製品を提供する。
【００２０】
[0021]  家庭用電気製品は、洗濯機又は皿洗い機であることが好ましい。
【００２１】
[0022]  本開示の実施形態の排水ポンプでは、フィルタ空洞及びインペラ空洞に連通した隙間は、ポンプハウジングとフィルタコアとの間に定まる。従って、排水ポンプの排水プロセスの終わりの近くに、インペラ空洞の側壁に打ち当たる空気混合水は、フィルタ空洞とインペラ空洞との間の隙間を通ってフィルタ空洞及び入口通路に逆流することができる。このように、インペラ空洞の側壁に打ち当たる空気混合水は、圧力が解放されるので、排水プロセスの間に発生する排水ポンプの騒音を効果的に抑制することができる。
【図面の簡単な説明】
【００２２】
【図１】本開示の１つの実施形態による排水ポンプの斜視図である。
【図２】図１の排水ポンプをその線ＩＩ−ＩＩに沿って取り出した断面図である。
【図３】図１のポンプハウジング及びフィルタの斜視図である。
【図４】図３のポンプハウジング及びフィルタの分解組立図である。
【図５】図３のポンプハウジング及びフィルタをその線Ｖ−Ｖに沿って取り出した断面図である。
【図６】図５の部分ＶＩの拡大図である。
【図７】本開示の別の実施形態によるポンプハウジング及びフィルタの断面図である。
【図８】図７の部分ＶＩＩＩの拡大図である。
【図９】本開示の別の実施形態によるポンプハウジング及びフィルタの断面図である。
【図１０】図９の部分Ｘの拡大図である。
【図１１】本開示の別の実施形態によるポンプハウジング及びフィルタの平面図である。
【図１２】本開示の別の実施形態によるポンプハウジング及びフィルタの平面図である。
【図１３】本開示の別の実施形態によるポンプハウジング及びフィルタの平面図である。
【図１４】本開示の家庭用電気製品の斜視図である。
【発明を実施するための形態】
【００２３】
[0037]  本発明の実施形態の技術的解決法が、以下のように、添付図面を参照して明確にかつ完全に説明される。以下に説明する実施形態は、本発明の実施形態の全てというよりも、一部に過ぎないことは明らかである。本開示の実施形態に基づき、当業者によって何らの創造的努力なしに得られるいかなる他の実施形態も、本発明の保護範囲内に属する。
【００２４】
[0038]  ある構成部品が別の構成部品に「固定された」と説明するとき、それは別の構成部品に直接固定することができ、又は中間の構成部品がある、すなわち別の構成部品に第３の構成部品を介して間接的に固定されても良いことに注意されたい。ある構成部品が別の構成部品に「接続された」と説明するとき、それは別の構成部品に直接接続することができ、又は中間の構成部品があっても良い。ある構成部品が別の構成部品に「配置された」と説明するとき、それは別の構成部品に直接配置することができ、又は中間の構成部品があっても良い。
【００２５】
[0039]  別段の定めがない限り、全ての技術用語及び科学用語は、当業者によって理解される通常の意味を有する。この開示で用いる用語は、限定というよりもむしろ例示である。この開示で用いる「及び／又は」という用語は、列挙された１つ以上の関連する品目の各々の及び全ての組み合わせが含まれることを意味する。
【００２６】
[0040]  本開示は、ポンプハウジング及びフィルタを含む排水ポンプを提供する。ポンプハウジングは、フィルタ空洞及びインペラ空洞を含む。フィルタはポンプハウジングに取り付ける。フィルタはフィルタコアを含む。フィルタコア及びポンプハウジングは、これらの間に、フィルタ空洞をインペラ空洞に連通させるポンプハウジングを定める。
【００２７】
[0041]  図１及び図２を参照して、本開示の１つの実施形態による排水ポンプ１００は、ポンプハウジング１０、フィルタ２０及びモータ組立品３０を含む。フィルタ２０はポンプハウジング１０に取り付ける。モータ組立品３０はポンプハウジング１０の一端に取り付ける。
【００２８】
[0042]  モータ組立品３０は、取付けハウジング３１及びモータ３２を含む。取付けハウジング３１は、モータ３２がポンプハウジング１０に対して固定されるように、ポンプハウジング１０に固定して接続される。モータ３２の一端は、排水ポンプ１００のインペラ３２１と連結される。インペラ３２１は、ポンプハウジング１０に収納される。
【００２９】
[0043]  モータ３２は、限定されないが、単相ブラシレス直流モータ、三相ブラシレス直流モータ又は単相同期モータであることが好ましい。
【００３０】
[0044]  取付けハウジング３１とポンプハウジング１０とは、スナップ嵌め又はねじボルト接続によって接続できることを理解されたい。
【００３１】
[0045]  図３〜図６も参照すると、ポンプハウジング１０は、ほぼ中空円筒形であり、フィルタ空洞１１、インペラ空洞１２及びシール空洞１３を定める。インペラ空洞１２及びシール空洞１３は、フィルタ空洞１１の向かい側の２つの端部にそれぞれ位置し、フィルタ空洞１１、インペラ空洞１２及びシール空洞１３は、互いに連通している。フィルタ空洞１１は円形の空洞であり、インペラ空洞１２は段付きの円形の空洞であり、インペラ空洞１２はフィルタ空洞１１の一端に位置し、インペラ３２１はインペラ空洞１２に収納される。ポンプハウジング１０の内面からポンプハウジング１０の半径方向に環状板１４が延びている。環状板１４は、フィルタ空洞１１とインペラ空洞１２との間に配置され、その中心領域に貫通穴１４１を定める。実施形態では、環状板１４のうちフィルタ空洞１１に面する側面には、貫通穴１４２を取り巻く環状突起１４２をさらに設ける。シール空洞１３は、円形の空洞であり、半径がフィルタ空洞１１よりも大きい。ポンプハウジング１０は、ポンプハウジング１０のうちシール空洞１３を定める内面上に、複数の第１のねじ１３１を含む。第１のねじ１３１は、ポンプハウジング１０の内面の円周方向に沿って延び、均一な間隔で配置される。この実施形態では、第１のねじ１３１は３つの群を含み、各群は３つの同軸に配置された歯を含む。
【００３２】
[0046]  実施形態では、ポンプハウジング１０は、ポンプハウジング１０のうちシール空洞１３に隣接する外周面に配置された取付けブロック１５を含む。取付けブロック１５は、形状がほぼ長方形であり、ブロック１５の４つの角に接続穴１５１が定まる。ポンプハウジング１０は、接続穴１５１を通過する固定部材（図示しない）により、外部部品に接続される。ポンプハウジング１０は、インペラ空洞１２に隣接する外周面に配置された接続ブロック１８を含む。接続ブロック１８はほぼＬ字形であり、その一端がポンプハウジング１０の外周面に接続される。
【００３３】
[0047]   ポンプハウジング１０の外周面から入口管１６及び出口管１７が半径方向に突出している。入口管１６は、ポンプハウジング１０の外周面に接続される。入口管１６は、フィルタ空洞１１と連通する内部入口路１６１を定める。出口管１７は、ポンプハウジング１０のうちインペラ空洞１２に隣接する外周面に接続される。出口管１７は、インペラ空洞１２と連通する内部の出口通路１７１を定める。
【００３４】
[0048]  フィルタ２０は、フィルタ空洞１１及びシール空洞１３に取り付ける。フィルタ２０は、シール部材２１、フィルタコア２２、及び多数の接続部材２３を含む。シール部材２１及びフィルタコア２２は、接続部材２３によって接続される。シール部材２１、フィルタコア２２及び接続部材２３は、一体に形成することができる。
【００３５】
[0049]  シール部材２１は円形の円錐台である。シール部材２１のうちフィルタコア２２の向かい側の端部に収容スロット２１１が定まる。収容スロット２１１の底部からハンドル部分２１２が突出している。ハンドル部分２１２はほぼ長方形のブロックである。シール部材２１の外周面上に、第１のねじ１３１に対応して複数の第２のねじ２１３が形成される。第２のねじ２１３は、シール部材２１の外周面の周りに連続的に延びている。フィルタ２０及びポンプハウジング１０は、第１のねじ１３１と第２はねじ２１３との間のねじ噛合いによって接続される。シール部材２１のうち接続部材２３に隣接する一端の外周面に溝２１４が定まる。溝２１４に環状ガスケット２１５を取り付ける。環状ガスケット２１５は、ゴム又はシリコンゴムのような可撓性材料から作成される。
【００３６】
[0050]  フィルタコア２２は、フィルタハウジング２２１及びフィルタメッシュ２２３を含む。フィルタハウジング２２１は、環状の中空円筒であり、フィルタ穴２２１１を定める。フィルタメッシュ２２３は、フィルタハウジング２２１に接続され、フィルタ穴２２１１のうちシール部材２１に隣接する一端に位置決めされる。この実施形態では、フィルタメッシュ２２３は、Ｙ構成で接続された３本の真っ直ぐな棒を含む。３本の真っ直ぐな棒は、フィルタハウジング２２１の断面を面積が同じである３つの区分に分割する。フィルタハウジング２２１のうちフィルタメッシュ２２３から、遠い外側面から曲板２２５が半径方向に延びて外側面を取り囲んでいる。曲板２２５は断面がほぼＬ字形である。曲板２２５は内側に曲がり、曲板２２５とフィルタハウジング２２１との間に溝２２５１が定まる。曲板２２５の外周面に複数の突出ポスト２２５２を設ける。各々の突出ポスト２２５２は、フィルタコア２２の軸方向に延び、環状板１４の内面に当接する。この実施形態では、均等に離間した３つの突出ポスト２２５２があり、フィルタコア２２の安定性を維持する。
【００３７】
[0051]  フィルタメッシュ２２３は、十字形の構成のような別の構成にできることを理解されたい。
【００３８】
[0052]  各接続部材２３は、ほぼＬ字形であり、互いに実質的に垂直な第１の接続板２３１及び第２の接続板２３２を含む。第１の接続板２３１は、ほぼＩ字形とされ、その一端がシール部材２１に接続され、他端が第２の接続板２３２に接続される。第１の接続板２３１には、接続部材２３の連結強度を強化するために補強リブ２３３がさらに形成される。第２の接続板２３２のうち第１の接続板２３１から遠い一端は、フィルタコア２２に接続される。この実施形態では、フィルタコア２２の向かい側の側面に対称的に配置された２つの接続部材２３がある。
【００３９】
[0053]  フィルタ２０及びポンプハウジング１０の組み立てにあたり、ハンドル部分２１２は、フィルタ２０のうちフィルタコア２２を有する一端からフィルタ空洞１１に挿入される。フィルタ２０のシール部材２１はシール空洞１３内に収納され、ガスケット２１５はポンプハウジング１０に当接する。フィルタ２０は、第１のねじ１３１と第２のねじ２１３との間のねじ噛み合いによってポンプハウジング１０に固定して接続される。このとき、曲板２２５は環状板１４の貫通穴１４１内に延び入り、突出ポスト２２５２が環状板１４の内側面に当接し、結果としてフィルタコア２２は、ポンプハウジング１０に対してさらに固定され、曲板２２５と環状板１４との間に、空洞１１及びインペラ空洞１２と連通する隙間１９が定まる。
【００４０】
[0054]  本開示の１つの実施形態の排水ポンプ１００では、フィルタ空洞１１及びインペラ空洞１２と連通する隙間１９は、曲板２２５と環状板１４との間に定まる。従って、排水ポンプ１００の排水プロセスの終わりの近くに、インペラ３２１の遠心力の作用を受けてインペラ空洞１２の側壁に打ち当たる空気混合水は、フィルタ空洞１１とインペラ空洞１２との間の隙間１９を通ってフィルタ空洞１１及び入口通路１６１に逆流することができる。このように、インペラ空洞１２の側壁に打ち当たる空気混合水は、圧力が解放され、従って排水プロセスの間に（特に排水プロセスの終わり近くに）発生する排水ポンプ１００の騒音を効果的に抑制することができる。
【００４１】
[0055]  フィルタ空洞１１とインペラ空洞１２との間の隙間１９は、フィルタハウジング２２１とポンプハウジング１０の内面とによって直接形成することができ、その場合には、環状板１４及び曲板２２５は省略できることを理解されたい。
【００４２】
[0056]  図７を参照すると、図７は、本開示の別の実施形態によるポンプハウジング１０ａ及びフィルタ２０ａの断面図である。この実施形態は、フィルタ２０ａのフィルタコア２２ａの構造がフィルタコア２２の構造とは異なる点で、図５の実施形態とは異なる。
【００４３】
[0057]  図８を参照すると、図８は図７の部分ＶＩＩＩの拡大図である。フィルタ２２ａの曲板２２５ａの外周面を取り囲んでバッフル２２７ａが形成される。バッフル２２７ａは、フィルタコア２２ａから半径方向に延びる。バッフル２２７ａは、曲板２２５ａのうち環状板１４ａから遠い一側面に配置され、バッフル２２７ａと環状突起１４２ａとは互いに対向している。
【００４４】
[0058]  図９を参照すると、図９は、本開示の別の実施形態によるポンプハウジング１０ｂ及びフィルタ２０ｂの断面図である。フィルタ２０ｂのフィルタコア２２ｂの構造は、フィルタコア２２の構造とは異なる。
【００４５】
[0059]  図１０を参照すると、図１０は図９の部分Ｘの拡大図である。フィルタ２２ｂの曲板２２５ｂの外周面を取り囲んでバッフル２２７ｂが形成される。バッフル２２７ｂは、フィルタコア２２ｂから半径方向に延びる。バッフル２２７ｂは、曲板２２５ｂのうち環状板１４ｂから遠い一側面に配置され、バッフル２２７ｂ及び環状突起１４２ｂは互いに対向している。バッフル２２７ｂのうち環状板１４ｂに面する一側面には、曲板２２５ｂから離間した環状の突出ブロック２２７１ｂが設けられる。突出ブロック２２７１ｂ、バッフル２２７ｂ及び曲板２２５ｂは、一緒に環状溝２２７２ｂを定める。環状突起１４２ｂは環状溝２２７２ｂと整列する。フィルタ空洞１１とインペラ空洞１２とは、隙間１９及び溝２２７２ｂを通して互いに連通する。
【００４６】
[0060]  図１１を参照すると、図１１は、本開示の第４の実施形態によるポンプハウジング１０ｃ及びフィルタ２０ｃの平面図である。ポンプハウジング１０ｃの環状板１４ｃの構造は、環状板１４の構造とは異なり、フィルタ２０ｃのフィルタコア２２ｃの構造は、フィルタコア２２の構造とは異なる。
【００４７】
[0061]  フィルタコア２２ｃの曲板２２５ｃの外周面に突出ポストは配置されず、曲板２２５ｃは環状板１４ｃの内面に当接する。曲板１４ｃの内面は、複数の圧力解放溝１４３ｃを定める。各圧力解放溝１４３ｃは円弧形であり、フィルタ空洞１１とインペラ空洞１２とは、圧力解放溝１４３ｃを通して互いに連通している。圧力解放溝１４３ｃは隙間を形成する。圧力解放溝１４３ｃの数は、所望の最適な空気圧均衡効果に従って決めることができる。この実施形態では、圧力解放溝１４３ｃの数は３である。
【００４８】
[0062]  図１２を参照すると、図１２は、本開示の別の実施形態によるポンプハウジング１０ｄ及びフィルタ２０ｄの平面図である。ポンプハウジング１０ｄの環状板１４ｄの構造は、環状板１４の構造とは異なり、フィルタ２０ｄのフィルタコア２２ｄの構造は、フィルタコア２２の構造とは異なる。
【００４９】
[0063]  フィルタコア２２ｄの曲板２２５ｄの外周面に突出ポストは配置されず、曲板２２５ｄは環状板１４ｄの内面に当接する。曲板１４ｄの内面は、複数の圧力解放溝１４３ｄを定める。各圧力解放溝１４３ｄはあり継ぎ形であり、フィルタ空洞１１とインペラ空洞１２とは、圧力解放溝１４３ｄを介して互に連通している。圧力解放溝１４３ｄは隙間を形成する。圧力解放溝１４３ｄの数は、所望の最適な気圧均衡効果に応じて決めることができる。この実施形態では、圧力解放溝１４３ｄの数は３である。
【００５０】
[0064]  図１３を参照すると、図１３は、本開示の別の実施形態によるポンプハウジング１０ｅ及びフィルタ２０ｅの平面図である。ポンプハウジング１０ｅの環状板１４ｅの構造は、環状板１４の構造とは異なり、フィルタ２０ｅのフィルタコア２２ｅの構造は、フィルタコア２２の構造とは異なる。
【００５１】
[0065]  フィルタコア２２ｅの曲板２２５ｅの外周面に突出ポストは配置されず、曲板２２５ｅは環状板１４ｅの内面に当接する。曲板１４ｅの内面は、複数の周方向に配置された圧力解放溝１４３ｅを定める。圧力解放溝１４３ｅは、環状板１４ｅの内面に沿って周方向に配置されて鋸歯状の溝とされ、フィルタ空洞１１とインペラ空洞１２とは、圧力解放溝１４３ｅを通して互いに連通している。圧力解放溝１４３ｅは隙間を形成する。
【００５２】
[0066]  本開示の圧力解放溝は、上述した形状に限定されず、三角形、長方形、台形、別の不ぞろいな形状、又は異なる形状の組み合わせにできる。
【００５３】
[0067]  図１４を参照すると、図１４は、家庭用電気製品２００に利用された本開示の排水ポンプ１００を示す。この実施形態では、家庭用電気製品２００は、洗濯機とすることができる。
【００５４】
[0068]  排水ポンプ１００は、皿洗い機のような別の家庭用電気製品でも利用できることを理解されたい。
【００５５】
[0069]  上述した実施形態は、本発明の好ましい実施形態であり、どのような点でも本発明の範囲を限定するために使用してはならない。当業者には、発明の範囲から逸脱しない様々な他の変更が明らかであり、そのような全ての変更は本発明の範囲に属するはずである。
【符号の説明】
【００５６】
１０  ポンプハウジング
１１  フィルタ空洞
１２  インペラ空洞
１３  シール空洞
１４  環状板
１６  入口管
１７  出口管
１９  隙間
２０  フィルタ
２１  シール部材
２２  フィルタコア
２３  接続部材
１３１  第１のねじ
１６１  内部入口路
１７１  出口通路
２１１  収容スロット
２１２  ハンドル部分
２１３  第２のねじ
２１４  溝
２１５  ガスケット
２２１  フィルタハウジング
２２３  フィルタメッシュ
２２５  曲板
２２１１  フィルタ穴
２２５１  溝
【図１】
2017207059.tif 000003
【図２】
2017207059.tif 000004
【図３】
2017207059.tif 000005
【図４】
2017207059.tif 000006
【図５】
2017207059.tif 000007
【図６】
2017207059.tif 000008
【図７】
2017207059.tif 000009
【図８】
2017207059.tif 000010
【図９】
2017207059.tif 000011
【図１０】
2017207059.tif 000012
【図１１】
2017207059.tif 000013
【図１２】
2017207059.tif 000014
【図１３】
2017207059.tif 000015
【図１４】
2017207059.tif 000016
【外国語明細書】
2017207059000001.pdf